(57)【特許請求の範囲】
【請求項１】
塑性変形可能な金属製の芯材に被覆を施して、ドアや壁体に構成される開口部の開口端面部及び外側周縁にその輪郭形状に倣って固定できるように構成するとともに、前記被覆の一端辺縁には先細のリップ部を一体に設け、他端辺縁には前記開口部の側周縁に当接する一の辺と前記開口部の開口端面に形成した凹設部に入り込む二の辺とからなる一対の係合部を一体に形成し、この一対の係合部で前記ドアや壁体の外側側周縁と芯板の一部を挟持状態とするとともに、前記リップ部によって前記開口部に張設される平板状のパネル体の辺縁部を密接状態に縁取り保持するようにした縁取りビード。
【請求項２】
平板状のパネル体が張設される開口部を有するドアや窓枠、額縁等を構成する枠構造体であって、その開口部に張設される前記パネル体の周辺縁部を、前記開口部の輪郭に倣って塑性変形可能の金属製の芯材に弾性材による被覆を施したリップ部と一対の係合部を備えた縁取りビードにより、その一対の係合部で前記枠構造体の外側側周縁と芯板の一部を挟持するとともに、リップ部でパネル体の辺縁部を該密接状態に縁取り保持した枠構造体。
【発明の詳細な説明】
【０００１】
【発明の属する技術分野】
この発明は、ドアや壁体に構成された開口部に張設されるガラス板やアクリル板等の平板状のパネル体を縁取り保持する縁取りビード、及び開口部にガラス板やアクリル板等の平板状のパネル体を張設した枠構造体に関するものである。
【０００２】
【従来の技術】
ドアや壁体に設けた開口部にガラス板やアクリル板、或いは意匠を施した化粧板等のパネル体を張設する場合、開口部に嵌めたパネル体の辺縁部を縁取材で縁取りして仕上げていることが多く、住宅関連ではこれまでこの種の縁取材としては、金属やプラスチック或いは木材が広く採用されている。自動車の窓についてはデザインや防水の観点から形状についての自由度が高く、水密が図り易いゴム製の縁取材が多く採用されている。また、意匠性を重視する額縁では意匠を施し易い材料で縁取材自体が額縁の枠体として作られている。
【０００３】
【発明が解決しようとする課題】
上記した従来の縁取材は、車両関係以外は剛直性のあるもので構成されており、基本的には直線で画成される開口部に嵌められるパネル体の周辺縁を縁取りしている。丸窓などの曲線で画成される開口部に嵌められるパネル体の周辺縁の縁取りは、その寸法形状に合わせて成形した縁枠が用いられ、嵌め殺しタイプの窓として構成されている。即ち、従来の縁取材は、形状の自由度が少なく、ドアの窓や壁体の窓、さらには額縁といったものの意匠を構成する場合、形状に係る制約が強く画一的にならざるを得ないといった問題点がある。
【０００４】
本発明は、係る従来の問題点を解決するためになされたものであって、その課題は、直線の輪郭に対しても曲線の輪郭に対しても対応できる自由度の高い、平板状のパネル体を縁取り保持する縁取りビードを提供することであり、開口部にガラス板やアクリル板等の平板状のパネル体を張設した画一性を排除できる枠構造体を提供することである。
【０００５】
【課題を解決するための手段】
前記課題を達成するために請求項１の発明は、塑性変形可能な金属製の芯材に被覆を施して、ドアや壁体に構成される開口部の開口端面部及び外側周縁にその輪郭形状に倣って固定できるように構成するとともに、前記被覆の一端辺縁には先細のリップ部を一体に設け、他端辺縁には前記開口部の側周縁に当接する一の辺と前記開口部の開口端面に形成した凹設部に入り込む二の辺とからなる一対の係合部を一体に形成し、この一対の係合部で前記ドアや壁体の外側側周縁と芯板の一部を挟持状態とするとともに、前記リップ部によって前記開口部に張設される平板状のパネル体の辺縁部を密接状態に縁取り保持するようにした手段を採用する。
【０００６】
上記手段を採用することにより、芯材の塑性変形機能により形状の自由度が増し、弾性を持つ被覆が芯材の変形に追随し、リップ部によってパネル体の辺縁部を密接状態に縁取り保持することができる。
【０００７】
前記課題を達成するために請求項２の発明は、平板状のパネル体が張設される開口部を有するドアや窓枠、額縁等を構成する枠構造体であって、その開口部に張設される前記パネル体の周辺縁部を、前記開口部の輪郭に倣って塑性変形可能の金属製の芯材に弾性材による被覆を施したリップ部と一対の係合部を備えた縁取りビードにより、その一対の係合部で前記枠構造体の外側側周縁と芯板の一部を挟持するとともに、リップ部でパネル体の辺縁部を該密接状態に縁取り保持した手段を採用する。
【０００８】
上記手段を採用することにより、開口部及びそこに張設する平板状のパネル体の形状を自由に設定でき、枠構造体の画一性を排除することができる。
【０００９】
【発明の実施の形態】
図１〜図４によって示す本実施の形態は、枠構造体としての窓付きドアに関するものである。このドアは、建具として建物の出入口に蝶番によって開閉可能に取付けられるものであり、図２に示すように、本体１は、長方形の木質芯板２の表裏に化粧板３が貼設されて構成されている。図１において、本体１の長手方向の一側縁部には開閉用のノブ４が取付けられ、正面には上寄りに曲線の輪郭で構成された窓５が設けられている。窓５は、図３に示すように、本体１に形成された曲線の輪郭の開口部６と、開口部６の形状に応じた形状に作られ、開口部６に張設されるガラス板やアクリル板や化粧板等の平板状のパネル体７と、パネル体７の表裏の辺縁部を密接状態に縁取り保持する表裏の縁取りビード８とから構成されている。
【００１０】
縁取りビード８は、図４に示すように塑性変形可能なアルミ材や軟鉄等の金属製の帯状の芯材９にゴムやプラスチック等の弾性材による被覆１０を施した構造で、その幅裏面の一端縁には、表又は裏の化粧板３の開口部６周辺縁を接着剤を介して挟持するチャンネル形の係合部１１が、縁取りビード８の長手方向に、被覆１０の一部により一体に形成され、これに対向する幅の表面の他端縁側には、被覆１０の一部による先細のリップ部１２が、縁取りビード８の長手方向に沿い、かつ斜めに突出す形態に一体に形成されている。本体１の開口部６の中間部に嵌められたパネル体７は、開口部６の口縁の表裏に各リップ部１２がパネル体７の辺縁部に密接状態で縁取りするように装着された上記構成の縁取りビード８により挟持状態に保持されている。
【００１１】
なお、縁取りビード８を取付ける開口部６の周囲は、図５に示すように、予め木質芯板２の両側に凹設部２Ａを形成し、縁取りビード８の係合部１１における一の辺を前記開口部の側周縁に当接し、かつ二の辺がこの凹設部２Ａに入り込んで係合するように加工される。
【００１２】
縁取りビード８の芯材９には、幅方向に図３に示すように穿孔１３が並んで設けられ、開口部６の曲面形状に倣って容易に曲げることができ、芯材９を覆う弾性材の被覆１０で形成されたリップ部１２も追随して曲がるため、開口部６の口縁及びパネル体７の辺縁はその形状に沿って外観よく縁取りされている。この縁取りビード８を使うことにより、窓５の意匠を直線構成は勿論、曲線構成とすることもでき、ドアの意匠を画一性から脱却した、自由度の高い多様なものとすることができる。リップ部１２は斜めに突出しているため、パネル体７の厚さの違いにも弾性変形により対応でき、隙間なくパネル体７の辺縁の縁取りが可能となっている。このドアの構造は、意匠性を重視する例えば額縁に対しても適用することができる。この場合には被覆１０及びリップ部１２の表面を模様や凹凸による意匠面として構成すればよい。また、壁体に設ける採光窓の枠構造としても適用できる。
【００１３】
なお、芯材９については被覆１０に埋設しても、被覆１０に差込んで挿入しても良い。また、縁取りビード８の固定に関しては芯材９を利用して外側から開口部６の口縁にビス止めにより固定しても良い。
【００１４】
【発明の効果】
請求項１の発明によれば、直線の輪郭に対しても曲線の輪郭に対しても対応できる自由度の高い、平板態のパネル体を縁取り保持する縁取りビードが得られる。
【００１５】
請求項２の発明によれば、開口部にガラス板やアクリル板等の平板態のパネル体を張設した画一性を排除できる枠構造体が得られる。
【図面の簡単な説明】
【図１】  実施の形態のドアの平面図である。
【図２】  実施の形態のドアの窓の構成を示す拡大断面図である。
【図３】  実施の形態のドアの窓の構成を拡大して示す斜視図である。
【図４】  実施の形態のドアの縁取りビードの断面図である。
【図５】  縁取りビードを取付ける開口部周囲の加工状態図である。
【符号の説明】
６：開口部
７：パネル体
８：縁取りビード
９：芯材
１０：被覆
１１：係合部
１２：リップ部
１３：穿孔
【図１】
0003842054.tif 000002
【図２】
0003842054.tif 000003
【図３】
0003842054.tif 000004
【図４】
0003842054.tif 000005
【図５】
0003842054.tif 000006